【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】  カメラの撮像範囲を制御する制御手段を有する情報制御装置であって、
所定のアクションを起動させるプログラムを記憶する記憶手段と、
前記カメラの現在の撮像範囲に関する情報を取得する取得手段と、
該取得手段によって取得される情報に応じて前記記憶手段によって記憶されたプログラムを起動する制御手段とを具備することを特徴とする情報制御装置。
【請求項２】  ユーザが前記カメラの制御権を有している状態であるかどうかを検出する検出手段を更に具備し、前記制御手段は、前記検出手段によってユーザが前記カメラの制御権を有していることが検出されている場合、前記記憶手段によって記憶されたプログラムを実行することを特徴とする請求項１に記載の情報制御装置。
【請求項３】  ユーザが前記カメラの制御権を有している状態であるかどうかを検出する検出手段を更に具備し、前記記憶手段は、異なる複数のアクションを動作させるプログラムを記憶しており、前記制御手段は、ユーザが前記カメラの制御権を有している状態である場合に起動するアクションか、ユーザが前記カメラの制御権を有していない状態であっても起動するアクションかを判断して起動を行なうことを特徴とする請求項１に記載の情報制御装置。
【請求項４】  前記記憶手段は、異なる複数のアクションを動作させるプログラムを記憶しており、前記制御手段は、起動中のプログラムが存在するときに、前記取得手段によって前記カメラの撮像範囲に変化が生じたことが検出された場合、該起動中のアクションの種類に応じてその動作を終了させるかもしくは継続させるかを判断して制御を行なうことを特徴とする請求項１に記載の情報制御装置。
【請求項５】  前記記憶手段は、前記カメラの所定の撮像範囲に対応する文字情報の表示制御のアクションを動作させるプログラムを記憶することを特徴とする請求項１に記載の情報制御装置。
【請求項６】  前記記憶手段は、プリンタの設定又は操作を行なうためのアクションを動作させるプログラムを記憶することを特徴とする請求項１に記載の情報制御装置。
【請求項７】  前記記憶手段は、電子メールの送信を行なうためのアクションを動作させるプログラムを記憶することを特徴とする請求項１に記載の情報制御装置。
【請求項８】  カメラによって撮像された画像を表示する表示手段を有する情報制御装置であって、
前記表示手段によって表示される画像とともに所定のウインドウを表示するアクションを動作させるプログラムを記憶する記憶手段と、
前記カメラの現在の撮像範囲に関する情報を取得する取得手段と、
該取得手段によって取得される情報に応じて前記記憶手段によって記憶されたプログラムを起動し、前記所定のウインドウの表示制御を実行する制御手段とを具備することを特徴とする情報制御装置。
【請求項９】  前記記憶手段は、異なる複数のアクションを動作させるプログラムを記憶しており、前記制御手段は、表示制御が行なわれているプログラムが存在するときに前記取得手段によって前記カメラの撮像範囲に変化が生じたことが検出された場合、該起動中のアクションの種類に応じてそのウインドウの表示を終了させるかもしくは継続させるかを判断して制御を行なうことを特徴とする請求項８に記載の情報制御装置。
【請求項１０】  前記記憶手段は、前記カメラの所定の撮像範囲に対応する文字情報の表示を行なうウインドウの表示制御のアクションを動作させるプログラムを記憶することを特徴とする請求項８に記載の情報制御装置。
【請求項１１】  前記記憶手段は、プリンタの設定又は操作を行なうためのウインドウの表示制御のアクションを動作させるプログラムを記憶することを特徴とする請求項８に記載の情報制御装置。
【請求項１２】  前記記憶手段は、電子メールの送信を行なうためのウインドウの表示制御のアクションを動作させるプログラムを記憶することを特徴とする請求項８に記載の情報制御装置。
【請求項１３】  カメラの撮像範囲を制御するための情報制御方法であって、
所定のアクションを起動させるプログラムを記憶する記憶工程と、
前記カメラの現在の撮像範囲に関する情報を取得する取得工程と、
該取得工程において取得される情報に応じて前記記憶工程において記憶されたプログラムを起動する制御工程とを具備することを特徴とする情報制御方法。
【請求項１４】  カメラによって撮像された画像を表示する表示工程を有する情報制御方法であって、
前記表示工程において表示される画像とともに所定のウインドウを表示するアクションを動作させるプログラムを記憶する記憶工程と、
前記カメラの現在の撮像範囲に関する情報を取得する取得工程と、
該取得工程において取得される情報に応じて前記記憶工程において記憶されたプログラムを起動し、前記所定のウインドウの表示制御を実行する制御工程とを具備することを特徴とする情報制御方法。
【請求項１５】  カメラの撮像範囲を制御するための制御プログラムを格納した記憶媒体であって、前記制御プログラムが、
所定のアクションを起動させるプログラムを記憶する記憶工程のコードと、
前記カメラの現在の撮像範囲に関する情報を取得する取得工程のコードと、
該取得工程において取得される情報に応じて前記記憶工程において記憶されたプログラムを起動する制御工程のコードとを具備することを特徴とする記憶媒体。
【請求項１６】  カメラによって撮像された画像を表示する表示工程のコードを有する制御プログラムを格納した記憶媒体であって、前記制御プログラムが、
前記表示工程において表示される画像とともに所定のウインドウを表示するアクションを動作させるプログラムを記憶する記憶工程のコードと、
前記カメラの現在の撮像範囲に関する情報を取得する取得工程のコードと、
該取得工程において取得される情報に応じて前記記憶工程において記憶されたプログラムを起動し、前記所定のウインドウの表示制御を実行する制御工程のコードとを具備することを特徴とする記憶媒体。
【請求項１７】  カメラからの映像を撮り込み配送する配送手段と前記カメラの少なくともパン、チルト、ズームのうちいずれか１つを制御するためのカメラ制御手段とを備えるカメラサーバからの映像を表示する表示手段と前記カメラを遠隔から制御する信号を前記カメラサーバに送る遠隔制御手段とを備えたカメラクライアント装置において、
前記カメラの撮像範囲とそれに対応するアクションの内容を記憶しておくためのアクション記憶手段と、
前記カメラの現在の撮像範囲と前記アクション記憶手段の記憶内容とを比較する比較手段と、
前記比較手段の比較結果に基づいて、前記カメラの撮像範囲に対応するアクションを起動する起動手段とを具備することを特徴とするカメラクライアント装置。
【請求項１８】  カメラからの映像を撮り込み配送する配送手段と前記カメラの少なくともパン、チルト、ズームのうちいずれか１つを制御するためのカメラ制御手段とを備えるカメラサーバからの映像を表示する表示手段と前記カメラを遠隔から制御する信号を前記カメラサーバに送る遠隔制御手段とを備えたカメラクライアント装置のカメラ制御方法であって、
前記カメラの撮像範囲とそれに対応するアクションの内容を記憶しておくための記憶工程と、
前記カメラの現在の撮像範囲と前記アクション記憶工程で記憶された記憶内容とを比較する比較工程と、
前記比較工程での比較結果に基づいて、前記カメラの撮像範囲に対応するアクションを起動する起動工程とを具備することを特徴とするカメラクライアント装置のカメラ制御方法。
【請求項１９】  カメラからの映像を撮り込み配送する配送手段と前記カメラの少なくともパン、チルト、ズームのうちいずれか１つを制御するためのカメラ制御手段とを備えるカメラサーバからの映像を表示する表示手段と前記カメラを遠隔から制御する信号を前記カメラサーバに送る遠隔制御手段とを備えたカメラクライアント装置のカメラを制御するための制御プログラムを格納した記憶媒体であって、前記制御プログラムが、
前記カメラの撮像範囲とそれに対応するアクションの内容を記憶しておくための記憶工程のコードと、
前記カメラの現在の撮像範囲と前記アクション記憶工程で記憶された記憶内容とを比較する比較工程のコードと、
前記比較工程での比較結果に基づいて、前記カメラの撮像範囲に対応するアクションを起動する起動工程のコードとを具備することを特徴とする記憶媒体。
【請求項２０】  カメラの映像を表示する表示手段とカメラの少なくともパン、チルト、ズームのうちいずれか１つを制御する制御信号を出力する出力手段とを備えるカメラクライアント装置から、前記出力された制御信号に基づいて前記カメラを制御する制御手段と前記カメラからの映像を撮り込み前記カメラクライアント装置に配送する配送手段とを備えるカメラサーバ装置であって、
前記カメラの撮像範囲とそれに対応するアクションの内容を記憶しておくためのアクション記憶手段と、
前記カメラの現在の撮像範囲と前記アクション記憶手段の記憶内容とを比較する比較手段と、
前記比較手段の比較結果に基づいて、前記カメラの撮像範囲に対応するアクションを起動する起動手段とを具備することを特徴とするカメラサーバ装置。
【請求項２１】  カメラの映像を表示する表示手段とカメラの少なくともパン、チルト、ズームのうちいずれか１つを制御する制御信号を出力する出力手段とを備えるカメラクライアント装置から、前記出力された制御信号に基づいて前記カメラを制御する制御手段と前記カメラからの映像を撮り込み前記カメラクライアント装置に配送する配送手段とを備えるカメラサーバ装置であって、
前記カメラの撮像範囲とそれに対応するアクションの内容を記憶しておくためのアクション記憶手段と、
前記カメラの現在の撮像範囲と前記アクション記憶手段の記憶内容とを比較する比較手段と、
前記比較手段の比較結果に基づいて、前記カメラの撮像範囲に対応するアクションを起動するためのプログラムを前記カメラクライアント装置に出力する出力手段とを備えることを特徴とするカメラサーバ装置。
【請求項２２】  カメラの映像を表示する表示手段とカメラの少なくともパン、チルト、ズームのうちいずれか１つを制御する制御信号を出力する出力手段とを備えるカメラクライアント装置から、前記出力された制御信号に基づいて前記カメラを制御する制御手段と前記カメラからの映像を撮り込み前記カメラクライアント装置に配送する配送手段とを備えるカメラサーバ装置のカメラ制御方法であって、
前記カメラの撮像範囲とそれに対応するアクションの内容を記憶しておくためのアクション記憶工程と、
前記カメラの現在の撮像範囲と前記アクション記憶工程での記憶内容とを比較する比較工程と、
前記比較工程での比較結果に基づいて、前記カメラの撮像範囲に対応するアクションを起動する起動工程とを具備することを特徴とするカメラサーバ装置のカメラ制御方法。
【請求項２３】  カメラの映像を表示する表示手段とカメラの少なくともパン、チルト、ズームのうちいずれか１つを制御する制御信号を出力する出力手段とを備えるカメラクライアント装置から、前記出力された制御信号に基づいて前記カメラを制御する制御手段と前記カメラからの映像を撮り込み前記カメラクライアント装置に配送する配送手段とを備えるカメラサーバ装置のカメラ制御方法であって、
前記カメラの撮像範囲とそれに対応するアクションの内容を記憶しておくためのアクション記憶工程と、
前記カメラの現在の撮像範囲と前記アクション記憶工程での記憶内容とを比較する比較工程と、
前記比較工程での比較結果に基づいて、前記カメラの撮像範囲に対応するアクションを起動するためのプログラムを前記カメラクライアント装置に出力する出力工程とを備えることを特徴とするカメラサーバ装置のカメラ制御方法。
【請求項２４】  カメラの映像を表示する表示手段とカメラの少なくともパン、チルト、ズームのうちいずれか１つを制御する制御信号を出力する出力手段とを備えるカメラクライアント装置から、前記出力された制御信号に基づいて前記カメラを制御する制御手段と前記カメラからの映像を撮り込み前記カメラクライアント装置に配送する配送手段とを備えるカメラサーバ装置のカメラを制御するための制御プログラムを格納した記憶媒体であって、前記制御プログラムが、
前記カメラの撮像範囲とそれに対応するアクションの内容を記憶しておくためのアクション記憶工程のコードと、
前記カメラの現在の撮像範囲と前記アクション記憶工程での記憶内容とを比較する比較工程のコードと、
前記比較工程での比較結果に基づいて、前記カメラの撮像範囲に対応するアクションを起動する起動工程のコードとを具備することを特徴とする記憶媒体。
【請求項２５】  カメラの映像を表示する表示手段とカメラの少なくともパン、チルト、ズームのうちいずれか１つを制御する制御信号を出力する出力手段とを備えるカメラクライアント装置から、前記出力された制御信号に基づいて前記カメラを制御する制御手段と前記カメラからの映像を撮り込み前記カメラクライアント装置に配送する配送手段とを備えるカメラサーバ装置のカメラを制御するための制御プログラムを格納した記憶媒体であって、前記制御プログラムが、
前記カメラの撮像範囲とそれに対応するアクションの内容を記憶しておくためのアクション記憶工程のコードと、
前記カメラの現在の撮像範囲と前記アクション記憶工程での記憶内容とを比較する比較工程のコードと、
前記比較工程での比較結果に基づいて、前記カメラの撮像範囲に対応するアクションを起動するためのプログラムを前記カメラクライアント装置に出力する出力工程のコードとを備えることを特徴とする記憶媒体。
【手続補正２】
【補正対象書類名】明細書
【補正対象項目名】００２７
【補正方法】削除
【補正の内容】
【手続補正３】
【補正対象書類名】明細書
【補正対象項目名】００２８
【補正方法】削除
【補正の内容】
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００３７
【補正方法】削除
【補正の内容】
【手続補正１２】
【補正対象書類名】明細書
【補正対象項目名】００３９
【補正方法】削除
【補正の内容】
【手続補正１３】
【補正対象書類名】明細書
【補正対象項目名】００４０
【補正方法】削除
【補正の内容】
【手続補正１４】
【補正対象書類名】明細書
【補正対象項目名】００４１
【補正方法】削除
【補正の内容】
【手続補正１５】
【補正対象書類名】明細書
【補正対象項目名】００４２
【補正方法】削除
【補正の内容】
【手続補正１６】
【補正対象書類名】明細書
【補正対象項目名】００４３
【補正方法】削除
【補正の内容】
【手続補正１７】
【補正対象書類名】明細書
【補正対象項目名】００４４
【補正方法】削除
【補正の内容】
【手続補正１８】
【補正対象書類名】明細書
【補正対象項目名】００４６
【補正方法】削除
【補正の内容】
【手続補正１９】
【補正対象書類名】明細書
【補正対象項目名】００４７
【補正方法】削除
【補正の内容】
【手続補正２０】
【補正対象書類名】明細書
【補正対象項目名】００４８
【補正方法】削除
【補正の内容】
【手続補正２１】
【補正対象書類名】明細書
【補正対象項目名】００４９
【補正方法】削除
【補正の内容】
【手続補正２２】
【補正対象書類名】明細書
【補正対象項目名】００５１
【補正方法】削除
【補正の内容】
【手続補正２３】
【補正対象書類名】明細書
【補正対象項目名】００５２
【補正方法】削除
【補正の内容】
【手続補正２４】
【補正対象書類名】明細書
【補正対象項目名】００５３
【補正方法】削除
【補正の内容】
【手続補正２５】
【補正対象書類名】明細書
【補正対象項目名】００５４
【補正方法】削除
【補正の内容】
【手続補正２６】
【補正対象書類名】明細書
【補正対象項目名】００５６
【補正方法】削除
【補正の内容】
【手続補正２７】
【補正対象書類名】明細書
【補正対象項目名】００５７
【補正方法】削除
【補正の内容】
【手続補正２８】
【補正対象書類名】明細書
【補正対象項目名】００５８
【補正方法】削除
【補正の内容】
【手続補正２９】
【補正対象書類名】明細書
【補正対象項目名】００５９
【補正方法】削除
【補正の内容】
【手続補正３０】
【補正対象書類名】明細書
【補正対象項目名】００６１
【補正方法】削除
【補正の内容】
【手続補正３１】
【補正対象書類名】明細書
【補正対象項目名】００６２
【補正方法】削除
【補正の内容】
【手続補正３２】
【補正対象書類名】明細書
【補正対象項目名】００６３
【補正方法】削除
【補正の内容】
【手続補正３３】
【補正対象書類名】明細書
【補正対象項目名】００６４
【補正方法】削除
【補正の内容】
【手続補正３４】
【補正対象書類名】明細書
【補正対象項目名】００６６
【補正方法】削除
【補正の内容】
【手続補正３５】
【補正対象書類名】明細書
【補正対象項目名】００６７
【補正方法】削除
【補正の内容】
【手続補正３６】
【補正対象書類名】明細書
【補正対象項目名】００６９
【補正方法】削除
【補正の内容】
【手続補正３７】
【補正対象書類名】明細書
【補正対象項目名】００７０
【補正方法】削除
【補正の内容】
【手続補正３８】
【補正対象書類名】明細書
【補正対象項目名】００７２
【補正方法】削除
【補正の内容】
【手続補正３９】
【補正対象書類名】明細書
【補正対象項目名】００７３
【補正方法】削除
【補正の内容】
【手続補正４０】
【補正対象書類名】明細書
【補正対象項目名】００７５
【補正方法】削除
【補正の内容】
【手続補正４１】
【補正対象書類名】明細書
【補正対象項目名】００７６
【補正方法】削除
【補正の内容】
【手続補正４２】
【補正対象書類名】明細書
【補正対象項目名】００７８
【補正方法】削除
【補正の内容】
【手続補正４３】
【補正対象書類名】明細書
【補正対象項目名】００７９
【補正方法】削除
【補正の内容】
【手続補正４４】
【補正対象書類名】明細書
【補正対象項目名】００８１
【補正方法】削除
【補正の内容】
【手続補正４５】
【補正対象書類名】明細書
【補正対象項目名】００８２
【補正方法】削除
【補正の内容】